(57)【特許請求の範囲】
【請求項１】
トゥルーカラー画像、二次元コード、二次元コードに重ね合せられる色彩、ＩＤ番号、及び複数の修正点を備える完全フォーマットを含む識別図及びこの識別図に対応する一連の識別データと、
受取・発送モジュール、識別データ生成モジュール、識別データを格納するためのデータベース及び検索判断モジュールを含むサーバーとを、含んでおり、
前記トゥルーカラー画像と前記二次元コードと前記二次元コードに重ね合せられる色彩と前記ＩＤ番号は、共通の検索インデックスにより関連づけられ、前記トゥルーカラー画像と前記二次元コードと前記二次元コードに重ね合せられる色彩と前記ＩＤ番号のどの要素が読み取られても同じ検索データが得られ、
前記識別図は、移動端末により取得され、且つネットワークによりサーバーに発送され、サーバーが前記識別図を受取し、対応の識別データを解析し、且つデータベースに格納された識別データと対比した後、識別情報を移動端末或はコンピュータに返送することを特徴とする画像識別システム。
【請求項２】
前記完全フォーマットでは、前記二次元コードが前記トゥルーカラー画像の上方に配置され、前記ＩＤ番号が前記トゥルーカラー画像の下方に配置され、八つの色修正ポイントを採用して、前記色修正ポイントがそれぞれ左上方に四つ、右上方に二つ、左下方に一つ、右下方に一つ配置されていることを特徴とする請求項１に記載の画像識別システム。
【請求項３】
前記識別図の色基準がＲＧＢ色基準を採用することを特徴とする請求項１に記載の画像識別システム。
【請求項４】
前記トゥルーカラー画像が、平面トゥルーカラー画像、凹凸トゥルーカラー画像、実物図形、生物図形のいずれかを含むことを特徴とする請求項１に記載の画像識別システム。
【請求項５】
前記識別データがトゥルーカラー画像、ロゴ、ＩＤ番号、 カテゴリ番号、企業名刺、個人名刺、製品内容説明を包含することを特徴とする請求項１に記載の画像識別システム。
【請求項６】
前記識別図が黒色或は彩色のボックス内に入力されることを特徴とする請求項１に記載の画像識別システム。
【請求項７】
前記識別図が、電子文書、スクリーン、印刷のいずれかにより発布されて使用されることを特徴とする請求項１に記載の画像識別システム。
【請求項８】
前記移動端末が、スマートフォン、ＩＰＡＤ（登録商標）、スキャナー、ノートパソコンのいずれかであることを特徴とする請求項１に記載の画像識別システム。
【請求項９】
前記識別データ生成モジュールは、トゥルーカラー画像データ、二次元コードデータ、色彩及びＩＤ番号の生成及びオーバラップを完成するように用いされ、トゥルーカラー画像処理サブモジュール、二次元コードデータ処理サブモジュール、色彩処理サブモジュール及びＩＤ番号処理サブモジュールを含むことを特徴とする請求項１に記載の画像識別システム。
【請求項１０】
前記トゥルーカラー画像処理サブモジュールがトゥルーカラー画像を処理し、前記処理が、幾何変換、ノイズ除去、微細化、輪郭抽出及び模様特徴抽出を含むことを特徴とする請求項９に記載の画像識別システム。
【請求項１１】
前記検索判断モジュールが、トゥルーカラー画像データ変換サブモジュール、二次元コードデータ変換サブモジュール、色彩変換サブモジュール、ＩＤ番号変換サブモジュール及び対比サブモジュールを含むことを特徴とする請求項１に記載の画像識別システム。
【請求項１２】
識別図及び該識別図に対応する一連の識別データを含み、前記識別図が、トゥルーカラー画像、二次元コード、二次元コードに重ね合せられる色彩、ＩＤ番号から成る四つの次元を含んだコードであって、前記トゥルーカラー画像、前記二次元コード、前記二次元コードに重ね合せられる色彩、前記ＩＤ番号が、共通の検索インデックスにより関連づけられ、前記トゥルーカラー画像と前記二次元コードと前記二次元コードに重ね合せられる色彩と前記ＩＤ番号のどの要素が読み取られても同じ検索データが得られることを特徴とする四次元コード。
【発明の詳細な説明】
【技術分野】
【０００１】
本発明は、画像識別分野に関し、特には画像識別システム、該システムを使用する四次元コード及びその検索システム、検索方法に関する。
【背景技術】
【０００２】
現在、画像識別技術はコンピュータにより研究されている重要な分野であり、近年、発展が迅速で、幅広くほとんど各分野に応用され、例えば手書き入力、郵政番号識別、漢字識別、顔識別、指紋識別及び虹彩識別が比較的成熟であり、これらの技術は、日常生活に幅広く応用され、対経済、軍事、国家安全及び人々の日常生活に重大な影響を与える。
【０００３】
現行の画像識別技術は、少しの特定分野のみに運用され、これらの運用に即時に従うことができなく、普遍分野への幅広い運用がより不足になり、例えばビッグデータベースを確立しなく、共通の画像識別基準がなく、具体的に児童教育の図書は、相応の図形識別基準及びサーバーデータベースのサポートを定義しないで、画像識別を音声再生に転換できる。中学校の幾何、物理、化学等の知識は、その図形構造或は特殊の符号によりネットワークの検索中に文字で表現できないと、検索できず、スマートフォンで支払う場合、SMS番号だけを確認でき、スマートフォンが紛失されたら悪意に支払わせて損失を発生し、パームの手紋を識別できない（スマートフォンで便利に手紋を打つ）、これは相応の図形識別基準及びサーバーデータベースのサポートを定義する必要があり、且つソフトウェアとネットワークのシステムサポートを運用する必要がある。  
【発明の概要】
【発明が解決しようとする課題】
【０００４】
本発明は画像識別技術を利用にして四次元コード概念を創建し、四次元コード基準の設定及びネットワークプラットフォームにより、急速の精確な検索方案を提供する。
【課題を解決するための手段】
【０００５】
本発明の目的は前記従来の技術存在の問題を解決するために、画像識別システムを提供することにあり、前記画像識別システムは、
【０００６】
トゥルーカラー画像（中国語における真彩図像：１画素に２４ビット又は３２ビットの色情報を有するカラー画像）、二次元コード、二次元コードに重ね合せられる色彩、ＩＤ番号、及び複数の修正点を備える完全フォーマットと、四角にそれぞれ一つの修正点が設置されるトゥルーカラー画像を含むハーフフォーマットと、トゥルーカラー画像だけを含む純粋画像フォーマットとを、少なくとも包含する識別図及びこれに対応する一連の識別データと、 
受取・発送モジュール、識別データ生成モジュール、識別データを格納するためのデータベース及び検索判断モジュールを含むサーバーとを、含んでおり、
【０００７】
前記識別図は、移動端末により取得され、且つネットワークによりサーバーに発送され、サーバーが前記識別図を受取し、対応の識別データを解析し、且つデータベースに格納された識別データと対比した後、識別情報を移動端末或はコンピュータに返送する。
本発明は、
移動端末により撮影して識別図情報を取得し、且つネットワークによりサーバーに発送する手順１と、
【０００８】
サーバーが識別図情報を受取し、対応の識別データを解析し、且つサーバーのデータベースに格納された識別データと検索対比した後、識別情報を移動端末に返送する手順２とを、含んでいる識別方法を提供する。
【０００９】
本発明は四次元コードを提供し、識別図及び該識別図に対応する一連の識別データを含み、前記識別図がトゥルーカラー画像、二次元コード、二次元コードに重ね合せられる色彩及びＩＤ番号を含み、前記トゥルーカラー画像、前記二次元コード、前記二次元コードに重ね合せられる色彩、前記ＩＤ番号が同様或は相応の索引を備える。
本発明は、
【００１０】
それぞれ同様或は相応の索引を各自備えるトゥルーカラー画像、二次元コード、二次元コードに重ね合せられる色彩及びＩＤ番号を含む識別図及び該識別図に対応する一連の識別データと、
受取・発送モジュール、識別データ生成モジュール、識別データを格納するためのデータベース及び検索判断モジュールを含むサーバーと、を含んでおり、
【００１１】
前記識別図が移動端末により取得され、且つネットワークによりサーバーに発送し、サーバーが前記識別図を受取し、対応の識別データを解析し、且つデータベースに格納された識別データと対比した後、識別情報を移動端末或はコンピュータに返送する四次元コード検索システムを提供する。
本発明は、
移動端末により撮影して四次元コード情報を取得し、且つネットワークによりサーバーに発送する手順１と、
【００１２】
サーバーが四次元コード情報を受取し、対応の識別データを解析し、且つサーバーのデータベースに格納された識別データと検索対比した後、識別情報を移動端末に返送する手順２とを含んでいる四次元コード検索方法を提供する。
【発明の効果】
【００１３】
従来の技術と比べて、本発明は以下の長所を備える。
【００１４】
本発明は画像識別技術を利用にして四次元コード概念を創建し、四次元コード基準の設定及びネットワークプラットフォームにより、急速の精確な検索方案を提供する。
四次元コードに包含されるデータ量が大きく、暗号化、識別及び偽造防止機能が強大である。
【００１５】
本発明はトゥルーカラー画像をデータ担体として採用して、直感・親和の特徴を備え、ユーザが多くの妨害対象のうちで瞬間に関注点を見付けさせ、設計師が出版物例えば、広告、ビデオを設計する場合、本識別図と出版とが良く協調させ、且つユーザがスマートフォン等の設備を使用して即時に走査・撮影し、直ちにデータを取得し、直ちに関連プラットフォームに入ることができる。
【図面の簡単な説明】
【００１６】
【図１】本発明の完全フォーマット識別図である。
【図２】本発明のハーフフォーマット識別図である。
【図３】本発明の純粋画像フォーマット識別図である。
【図４】図形、画像識別システム及び検索システムの作動原理図である。
【図５】データベースの階層構造図である。
【図６】スマートフォンのコール・フローチャートである。
【図７】四次元コード検索方法のフローチャートである。
【発明を実施するための形態】
【００１７】
以下、明細書図面及び具体的な実施例を合わせて本発明について詳細に説明する。
【００１８】
図１〜図３の示すように、本発明は、識別図及び該識別図に対応する一連の識別データを含む四次元コードを提供し、識別図がトゥルーカラー画像、二次元コード、二次元コードに重ね合せられる色彩及びＩＤ番号を含み、上記に記載されたトゥルーカラー画像、二次元コード、二次元コードに重ね合せられる色彩、ＩＤ番号がそれぞれ同様或は相応の索引を備える。
本実施例では、識別図は、完全フォーマット、ハーフフォーマット或は純粋画像フォーマットという三つのフォーマットを含む。 
【００１９】
完全フォーマットはトゥルーカラー画像、二次元コード、二次元コードに重ね合せられる色彩及びＩＤ番号を含有し、二次元コードがトゥルーカラー画像の上方に配置され、識別図に修正点が設置され、ＩＤ番号がトゥルーカラー画像の下方に配置される。
【００２０】
完全フォーマットのトゥルーカラー画像が識別図間に設置され、修正点がそれぞれ識別図の四角に設置され、二次元コードが識別図上方の左右両側の修正点間に設置され、色彩が二次元コード上に重ね合せられ、ＩＤ番号が識別図の下方に設置され、且つ左、右両側の修正点間に位置する。
【００２１】
ＩＤ番号が走査条件無し或は長距離でスマートフォンにより通信できない等の特殊な運用環境に応用でき、手動でＩＤ番号を入力することにより同様に他の次元のデータを検索でき、更に四次元コードに対応する完全情報を明示きる。トゥルーカラー画像内のトゥルーカラー画像が会社商標、会社識別図、製品識別図、公共標識識別図等、或は個人写真、個人識別図等とする。これと共に画像を演算することで識別コードを取得し、ＩＤ番号及び二次元コードに含有されるコードとインタラクティブで検索或は独立検索でき（即ち、下記の純粋画像フォーマット）、データベースから資料を取り出すことを便利にする。
【００２２】
データを画像方式で表示するように、二次元コードに更に色彩を被覆し、コンピュータ或はスマートフォンの端末プログラムが走査画像から画像を便利に取得させ、データに変換し、この過程はネットマーキングを要しなくても直接的に完成できる。二次元コード及びその上の色彩に包含されるデータ内容には、該フォーマット内の四次元コード底部にあるＩＤ番号と同じで、四次元コードの総索引であるＩＤ番号と、四次元コードの運用類別、トゥルーカラー画像類別、修正版本、特種類別等を分類するためのカテゴリ番号とを有する。その中で、運用類別は、企業運用、安全運用、公共設施、社会運用、国家基準、個人運用、マルチメディア運用、教育雑誌、他の運用等を含んでも良い。トゥルーカラー画像の類別は、共通識別図、高解像度識別図、顔形識別図、自動車番号識別図、掌紋識別図、暗号化のパスワード識別図、製品識別図、教育書刊識別図等を含んでも良い。二次元コード及びこれに被覆される色彩は、更に企業名刺、個人名刺、製品内容説明等の内容を含んで良い。
【００２３】
該フォーマットにある修正点は八つがあり、それぞれ四角に配置され、彩色点が上端に分布され、白色背景でなく黒色背景を採用して、スマートフォン、ＰＣ及びカメラ内のカメラソフトウェア辺縁強化及び輝度補償機能により、修正点区域を減少し、四次元コードの下方に位置する修正点が白黒点とし、且つ白点に黒い辺を備え、その目的が同様に、端末ソフトウェアの修正点のキャッチ能力を強化させるためである。
修正点を使用すれば以下の長所がある：
【００２４】
１）サイズを修正する理由は、撮影する時、撮影の距離及び角度、レンズ品質、被撮影物体の不平整により画像変形を引き起こし、画像変形量が小さくなると、平均値の演算により画像の正確サイズに回復し、画像変形量が大きくなると、錯誤による放棄を提出する。画像平均値の演算には、隣接（硬い辺縁保留）、双線形、バイキュービック（平滑徐々変化に適用）、バイキュービック比較平滑（拡大に適用）、バイキュービックローラ平滑（縮小に適用）という五つのモードを採用する。
２）画像アライメント：端末プログラムにある四つの修正点と被撮影対像の四角の四つの修正点とを合致させることで、識別能力を向上させる。
３）色修正：八つの修正点のＲＧＢ値がそれぞれ次の通りである：
赤点：ＲＧＢ２５５、０、０    淡赤点：ＲＧＢ２５５、１２７、１２７
緑点：ＲＧＢ０、２５５、０    淡緑点：ＲＧＢ１２７、２５５、１２７
青点：ＲＧＢ０、０、２５５    淡青点：ＲＧＢ１２７、１２７、２５５
白点：ＲＧＢ２５５、２５５、２５５    黒点：ＲＧＢ０、０、０
【００２５】
ハーフフォーマットがトゥルーカラー画像及びこのトゥルーカラー画像四角に設置される複数の修正点を含む。ハーフフォーマットが特殊環境で使用されており、例えば教育書刊識別に使用され、児童読物にこのフォーマットを使用した後、スマートフォンにより読物を撮影した後、スマートフォンが読音を発し、例えば子供にこれが何だか、或はこの図形により一つの物語を読むか或は歌うかを告げており、或は中学校の教科書にある幾何題目をスマートフォンにより撮影することで、スマートフォンに解題構想或は答案を表示す。勿論も名刺或は広告に使用できる。
【００２６】
ハーフフォーマットには四つの修正点が使用され、それぞれトゥルーカラー画像の四角に位置し、形状位置の修正及び色の簡単な修正だけに応用され、修正方法が完全フォーマットと同じで、修正点に黒い枠を加えることが、白色に接近する環境画像の辺縁強化等のカメラ処理ソフトウェアが修正点の区域を及び、色差を引き起こすためである。
【００２７】
該フォーマットでは、表示されるＩＤ番号がないで、スマートフォン等の移動端末内の識別ソフトウェアによりトゥルーカラー画像内の真彩図をトゥルーカラー画像に変換した後、取得されたトゥルーカラー画像をネットワークによりサーバーに発送して対比する必要があり、このような状況が以下のことを意味する。１、検索が失敗する可能がある。２、ネットマーキングしなければならない。３適時の反響速度が遅くなり、ネットワーク帯域幅の影響等を受け、該フォーマットが簡単で直観で、元の図形への影響が小さく、影像のデータ量が大いため、極大の検索精度がある。四つの修正点があり、使用され修正目的のほかに、またユーザにこの図形が識別図であることを提出し、撮影により関連情報を検索できる。
【００２８】
純粋画像フォーマットがトゥルーカラー画像だけを含む。純粋画像フォーマットが主に実物環境に応用され、例えば、マクドナルドの標識、灯光広告看板等が前記両フォーマットを適用できないが、図形が簡単で、識別が容易である等の特徴がある。このようなフォーマットを採用すれば、走査により真彩図を取得でき、且つ識別ソフトウェアを利用して真彩図をトゥルーカラー画像に変換した後、ネットワークによりサーバーに発送して相応の資料を検索すれば良い。このような純粋画像フォーマットが幅広く運用でき、人々の日常生活に多い重大な影響を与える。
【００２９】
図４−図６の示すように、四次元情報に基づき、本発明の画像識別システムは、識別図及び該識別図に対応する一連の識別データ、サーバーを含む。前記識別図も、トゥルーカラー画像、二次元コード、二次元コードに重ね合せられる色彩、ＩＤ番号及び複数の修正点を含有する完全フォーマットと、四角にそれぞれ一つの修正点が設置されるトゥルーカラー画像を含有するハーフフォーマットと、トゥルーカラー画像だけを含有する純粋画像フォーマットとの三種のフォーマットを包含する。サーバーが、受取・発送モジュール、識別データ生成モジュール、識別データを格納するためのデータベース及び検索判断モジュールを含む。
【００３０】
識別図が移動端末により取得され、且つネットワークによりサーバーに発送され、サーバーが識別図を受取し、対応の識別データを解析し、且つデータベースに格納された識別データと対比した後、識別情報を移動端末或はコンピュータに返送する。移動端末が識別図を撮影し、即ち、スマートフォン、コンピュータ、専用計器等の撮影機能を利用して、ある対象に印刷された識別図を撮影した後、識別ソフトウェアを利用してそれぞれ識別図にある元素についてデータを提供し、例えば二次元コード、二次元コードに重ね合せられる色彩を分析し、真彩図をトゥルーカラー画像に変換するため、識別データ或は索引を取得し、且つネットワークによりデータベース用サーバーに発送し、データベース用サーバーが識別データ或は索引を受取し、且つ記憶裝置に格納されたデータと検索対比した後、識別情報を移動端末に返送する。移動端末の撮影対象が一つの名刺、一つの広告、一つのビデオ、例えば顔及びパームである実物、交通標識或は一つの杯であっても良い。
【００３１】
トゥルーカラー画像が平面トゥルーカラー画像、凹凸トゥルーカラー画像、実物図形或は生物図形を含む。色彩がＲＧＢ色基準を採用する。識別図が黒色或は彩色のボックス内に入れされる。識別図が更にその四角に設置されるある複数の修正点を含む。移動端末がスマートフォン、ＩＰＡＤ（登録商標）、スキャナー或はノートパソコンを含む。四次元コードが電子文書、スクリーン或は印刷により発布しれて使用される。識別データがトゥルーカラー画像、ロゴ、スクリーン、 カテゴリ番号、企業名刺、個人名刺、製品内容説明を含む。
【００３２】
トゥルーカラー画像が会社商標と同じで、コンピュータ、スマートフォン内の電子文書及びビデオに表示され、或は名刺、書籍、広告に印刷され、或は例えば掌紋等の実物とし、現在、彩色識別画像を基準にし、室外運用或は印刷需要により識別図をグレースケールにさせ、ソフトウェアにより特殊類別処理をする。本実施例では、色彩が二次元コードとオーバラップできる。ユーザがモードを使用して、ユーザの代りにコンピュータ等のクライアントにより電子文書を入力し、スマートフォン、パネルコンピュータ及びデスクトップコンピュータ、ノートパソコンにあるアプリケーションにより図面を識別するので、色彩に採用される色基準もＲＧＢ色彩モードであり、このＲＧＢ色彩モードが光源表示系の色基準であり、赤（Ｒ）、緑（Ｇ）、青（Ｂ）といる三色を変化させることにより、且つ同士が重ね合せられることにより各様の色を取得する。その中で、ＲＧＢとは、赤、緑、青通路の色を代表し、光源のオーバラップを採用するため、ＲＧＢの総数値が大きくなり、色が浅くなる。ＲＧＢ中にそれぞれの色が２５階調に区画され、それぞれが０〜２５５とし、三つの三原色がスクリーンで２５６*２５６*２５６合計１６７７７２１６色として表示され、プログラミングに１６進法で#ＦＦＦＦＦＦとして表現される。
【００３３】
四次元コードのトゥルーカラー画像が更に商業に多く応用され、例えば、愛好の製品を見ると、撮影によりメーカーの資料を知った後、直接的にスマートフォンで注文書を発して購買する。偽物を疑う場合、四次元コードの四次元トゥルーカラー画像を撮影することで、正規品メーカーの詳細な情報を取得でき、このようにユーザは買物が偽物でないかを知り、偽造防止の機能を達成する。トゥルーカラー画像が更に暗号化に使用でき、例えば自己の掌紋を自撮影し、且つネットワークのデータベースに格納された基準図と対比し、これをスマートフォンのロック解除モードとし、或はオンラインショッピング、商店買物、銀行カード支払の暗号化モードとし、このためにマン・マシン分離或はマン・カード分離であれば、復号化できなく、交易の安全性を向上させる。この方法が更に顔識別、ナンバプレート識別、交通公共設施識別等に使用できる。四次元コードのトゥルーカラー画像は、更にスマートフォンの撮影により動態暗号化を実現でき、スマートフォンで即時に銀行端末に表示される動態データチェーンを撮影し、スマートフォンのネットワークにより伝回銀行に転送し、同時に銀行の端末がスマートフォン番号、データチェーンを取得し、更に掌紋識別、指紋識別（銀行端末による提供）を取得する可能があり、交易を同意する。
【００３４】
然し、四次元コードのトゥルーカラー画像も一定の局限性が存在し、に対して画像が複雑で、画像ノイズが大きく、環境光線が暗く或は明るくなる場合、画像対比困難の問題を発生しやすく、且つ主にスマートフォン、パネルコンピュータ等により撮影する時、レンズ解像度が不足で、手振れが大きい場合にも、同様に識別の困難を引き起こす。然し、これらの問題は、できる種々の撮影状況を微細化し、且つ相応の方案を提供し、例えば暗号化用の掌紋を撮影し、スマートフォンのプログラムでは左手或は右手に撮影するかを選択確認し、最長の手紋を縦向にさせ、且つスマートフォンのプログラム内の修正点を上端面及び最長の手紋に合わせることを要求する。同様に、顔、製品、公共標識、会社商標等の撮影に相応の要求があり、良く画像対比及び識別の問題を解決できる。
【００３５】
四次元情報に基づき、本発明は更に四次元コード検索システムを提供し、識別図及び該識別図に対応する一連の識別データ、前記識別図を含むトゥルーカラー画像、二次元コード、二次元コードに重ね合せられる色彩及びＩＤ番号を含み、前記トゥルーカラー画像、前記二次元コード、前記二次元コードに重ね合せられる色彩、前記ＩＤ番号がそれぞれ同様或は相応の索引を備える。サーバーが、受取・発送モジュール、識別データ生成モジュール、識別データを格納するためのデータベース及び検索判断モジュールを含む。識別図が移動端末により取得され、且つネットワークによりサーバーに発送され、サーバーが前記識別図を受取し、対応の識別データを解析し、且つデータベースに格納された識別データと対比した後、識別情報を移動端末或はコンピュータに返送する。
四次元コード検索システムの移動端末が、スマートフォン、ＩＰＡＤ（登録商標）、スキャナー或はノートパソコンを含む。
図７の示すように、四次元情報に基づき、本発明は更に以下の手順を含む四次元コード検索方法を提供する： 
手順１．移動端末により撮影して四次元コード情報を取得し、且つネットワークによりサーバーに発送する；
【００３６】
手順２．サーバーが四次元コード情報を受取し、対応の識別データを解析し、且つサーバーのデータベースに格納された識別データと検索対比した後、識別情報を移動端末に返送する。
【００３７】
スマートフォンとデータベースとがＩＤ番号を接続ポートとして、完全フォーマットの場合には、スマートフォンが撮影機能がないか、撮影が間違うか、微光でコンピュータにカメラがないか、長距離でＩＤ番号だけを告知するか等の状況が発生すれば、撮影できないことを引き起こす。この場合には、ユーザがスマートフォンのインターフェース或はコンピュータのインターフェースでＩＤ番号を手で入力することで、同様にシステム或はネットワークのデータベースにアクセスする。他の場合には、完全フォーマットでは撮影によりトゥルーカラー画像、二次元コード及び／或は三元次色彩コードを算出し、この二次元コード及び／或は三元次色彩コードがネットワークに従わなくて直接的にスマートフォンに常用の情報内容を表示でき、同時にトゥルーカラー画像、二次元コード及び／或は三元次色彩コード及びＩＤ番号により、ネットワークのデータベースを検索する。
【００３８】
ハーフフォーマット及び純図面フォーマットを採用する場合、トゥルーカラー画像を生じてデータベースでしか検索できなく、このように図面の変形歪曲により識別できない、最終に検索失敗を引き起こしやすい。このため、複数の過程でフォールト・トレラント処理が必要とする。本発明は二つのフォールト・トレラント処理を行る。先ず、図形ドット・マトリクスのマトリックス特徴を採用して計算し、具体的に以下に詳細に説明する。次ぎ、対ネットワークのデータベースにあるデータを相似度演算を行い、且つ相似度の高い図形をスマートフォンのインターフェースに発送した後、ユーザが確認する。且つスマートフォン使用者名及びスマートフォン使用者番号により、ユーザを確認し、ユーザの使用対像を確認し、暗号等級運用、例えばネットワーク支払について、手でパスワードを入力し、或は対掌紋を識別する必要がある。
【００３９】
完全フォーマットの情報が最も完全で、ＩＤ情報に三級のインタラクティブ検索関係があるため、優先に完全フォーマットを使用し、例えば、名刺、銀行カード、広告、ビデオ等。特殊な環境でハーフフォーマットを使用でき、ハーフフォーマットに四つの修正点があり、ユーザが見ると、これが四次元コードのフォーマットであると知っており、スマートフォンが撮影してシステムによりトゥルーカラー画像データを計算した後（図形からデジタルへの変換）、コンピュータで相応のＩＤ番号を検索するため、ユーザが専門のポータルにアクセスし、このような方式で児童用の有声読物等に使用できる。例えば、ユーザが純粋画像フォーマットを請求し、名刺で制作させ、ユーザ用スマートフォンで名刺上のトゥルーカラー画像データを撮影することで、ユーザの資料を取得でき、且つユーザプラットフォームにアクセスする。
【００４０】
四次元コード或は該四次元情報を備えるデータボックスを撮影或は走査する過程で、撮影・走査設備及び環境の影響を除去する必要があり、且つ移動装置自身が四次元コード或は四次元情報を備えるデータ枠への影響も大きい、サイズの変形量、明暗、色彩度、露光程度に影響する。環境について環境光の輝度があり、色が四次元コード或は四次元情報を備えるデータ枠に極大の影響を与える。
【００４１】
出版物にある四次元コード或は四次元情報を備えるデータボックスでは、太陽光の長期照射により色の顔料の一部が厳重に退色し、このような環境でグレースケール識別図を採用できる。
【００４２】
損壊或は歪曲過度の四次元コード或は四次元情報を備えるデータボックスが、既に一部分の識別機能を失い、放棄せざるを得なく、或はスマートフォンの完全フォーマットにキーインされるＩＤ番号により検索される。
撮影或は撮影された後、ソフトウェアを利用して噪音処理を除去し、処理方法が次の通りである。
隣接区域平均法：模糊を代価して機器ノイズの減少を取得する。
中値フィルタリング：数履修単位野の中間値計算或は加重演算方式を採用して、同様に模糊を代価して機器ノイズの減少を取得する。
孤立ノイズ除去：独立或は規律的な斑点を除去する。
尖鋭化：即ち、辺縁強化処理であり、画像がより明晰になり、微分尖鋭化及び辺縁検出等の方式に分ける。
色処理：自動色調、自動コントラスト、自動色処理（ネットワークサーバーデータも同様に前処理されて合致性を保証する）。
【００４３】
移動端末或はサーバーが更に画像を微細化し、対画像微細化の過程が画像骨組みを求める過程であり、主に純粋画像フォーマットにある顔形識別、手紋識別、会社ロゴ識別と製品識別を使用する。
移動端末或はサーバーが更に輪郭を抽出し、内部点を中空にさせる方法を採用して、機能が微細化部分と同じである。
【００４４】
移動端末或はサーバーが更に模様特徴を抽出し、構造分析方法及び統計分析方法を採用する。構造分析方法は、形式化言語で模様エレメントを抽出し、模様エレメントの排列規則を推理する。主に純粋画像フォーマットの識別を使用する。統計分析方法は、識別図に使用される主要な方法であり、図形マトリックスの起点及び終点を確認し、図形デジタル化マトリックスを確立し、且つ基準図のデジタル化マトリックスと対比し、相似度を確認し、且つ評価に入る。主に完全フォーマットハーフフォーマットの識別を使用する。
【００４５】
移動端末或はサーバーが、四次元コード或は四次元情報を備えるデータボックスに対して画像識別処理する。以下、画像識別処理のプログラムについて説明する。
【００４６】
完全フォーマット、ハーフフォーマット数学模型が以下のように確立される。図形ドット・マトリクスをデジタルマトリックスに対応させる方式を採用して、各図形ドット・マトリクスがそれぞれ赤色デジタルマトリックス、緑色デジタルマトリックス、青色デジタルマトリックスという三原色マトリックスに対応する。例えば、一元次データコード、二次元コード、三元次色彩コード及びトゥルーカラー画像に対する。
【００４７】
三原色マトリックスからトゥルーカラー画像として特徴を抽出し、検索し、トゥルーカラー画像検索と、ＩＤ番号検索と、二次元コード及び／或は二次元コードに重ね合せられる色彩との相互関連及びインタラクティブの検索方式を形成する。
【００４８】
三つのデジタルマトリックスには模様を多く含み、模様の抽出面で、二次元Ｇａｂｏｒウエーブフィルターが明らかな優勢を備えるため、本発明は二次元Ｇａｂｏｒウエーブフィルターを採用して模様を抽出する。
二次元Ｇａｂｏｒ関数がガウス関数と複素平面波との相乗積により構成され、その二次元表現式次の通りである。
復数表現：
0006503081.tif 000002
実数部分：
0006503081.tif 000003
虚数部分：
0006503081.tif 000004
0006503081.tif 000005
実数部分：
0006503081.tif 000006
虚数部分：
0006503081.tif 000007
二次元Ｇａｂｏｒウエーブフィルター処理の試料特徴次元が更に高くなり、簡単なデータ特徴として圧縮する必要があることで、スマートフォン、コンピュータ等の演算速度を向上させるため、画像の試料特徴次元を低下させ、ここで二次元離散余弦変換方式を利用して次元を低下させる。離散余弦変換は、特にその第二種類型（写真）が常に信号処理及び画像処理に使用され、且つ信号及び画像（静止画像及び運動画像含有）に関する損壊データ圧縮に使用される。この理由は離散余弦変換が強い「エネルギー集中」特性を備える。大多数の自然信号（声音及び画像含有）のエネルギーが離散余弦変換された低周波部分に集中し、信号にマルコフ過程に接近する統計特性を備える場合には、離散余弦変換の関連解除性がＫ−Ｌ変換（Ｋａｒｈｕｎｅｎ−Ｌｏｅｖｅ変換−最優の関連解除性を具備）の性能に接近する。
例えば、静止画像コード基準ＪＰＥＧ中で、運動画像コード基準ＭＪＰＥＧ及びＭＰＥＧの各基準にそれぞれ離散余弦変換が使用される。これらの基準制に二次元の第二種類型離散余弦変換を使用し、且つ結果を量子化させた後、エントロピー符号化行う。この場合、相応的に第二種類型離散余弦変換のｎが通常８とし、該公式で各８ｘ８ブロック毎の毎行を変換した後、毎列を変換する。一つの８ｘ８の変換係数マトリックスを得る。その中で（０、０）位置の元素が直流分量とし、マトリックス内の他の元素がその位置により周波数の異なる交流分量を表示する。
二次元離散余弦変換定義が次の通りである：
0006503081.tif 000008
【００４９】
離散余弦変換による図形マトリックスの処理方式は、Ｚ型の撮影方法を採用して、画像の大きい係数情報を有効に抽出でき、具体的に操作過程が下図のように示す。
0006503081.tif 000009
0006503081.tif 000010
0006503081.tif 000011
純粋画像フォーマット数学模型が以下のように確立される。
【００５０】
具体的には、完全フォーマット、ハーフフォーマットが電子文書或は印刷品に使用される時、因較正点を備え、且つ有意にユーザが撮影させ、有意に制御させるため、完全フォーマット、ハーフフォーマットの可読性が強く、純粋画像フォーマットのような画像が辺界がなく、修正点がないで、必然として可読性が悪く、可読性を向上させるために、完全フォーマット、ハーフフォーマットアルゴリズムに基づいて少しの約定及びアルゴリズムを増加し、これらの約定がスマートフォン或はパネルコンピュータ等の端末ツールのアプリケーションで計算として、且つプログラムインターフェースで分類及び説明により表示され、同時に計算を識別した後、端末のアプリケーションで相似度のソーティング方式により幾つかの図を提出して、ユーザにより確認させる。以下、運用例により説明する。
純粋画像フォーマットの共通識別要求：
【００５１】
方向性の要求として、図形製品の配置角度を識別図に合致させるように要求され、必要に通じる場合には、ユーザの使用特徴により他の視角識別図を請求して、且つ相互に関連させる。
【００５２】
撮影区の要求：撮影区の額縁大きさがスマートフォンのアプリケーションにある額縁と同じで、撮影対象の設置設計は，大きい色のある背景及び深く明るい景を対比するように要求され、出来るだけ背景額縁及び識別図特徴を提示し、ユーザに撮影を引き付ける。
【００５３】
純粋画像フォーマットの識別図が完全フォーマット、ハーフフォーマットと異なり、システムで一類を指向すれば良いため、専門設計でき、想象力を発揮し、ひいては純粋画像フォーマットとハーフフォーマットとの間の過渡形設別図を設計でき、ユーザにこの図を撮影することを提示すれば良い。
【００５４】
道路標識の識別：道路標識は典型の純粋画像フォーマット特性の識別図であり、線条が流暢で簡単で、色の過渡区（徐々変化色）がないため、極め識別されやすく、純粋画像フォーマットの共通識別要求を満たせば識別できる。
【００５５】
顔形の識別：顔の識別は純粋画像フォーマットの識別モードを利用するため、純粋画像フォーマットの共通識別要求を満たす必要もあり、同時に顔の画像に自己特殊の共性があり、顔の識別に以下のように検索されたい特徴がある：顔の共性には頭髪、眼、眉毛、鼻、唇があり、個体の差異により大きさ及び位置が異なり、特に現在のスマートフォンカメラの解像度が１０００万の画像に高く達し、差異性が大きくなる。
【００５６】
現在、顔の識別が比較的に成熟しており、本発明はスマートフォン端末計算の高効率性のために、完全フォーマットと同じ画像ドット・マトリクスに対応するデジタルマトリックスを採用し、計算方法が同じで、ただ画像額縁及び位置決め点のみを処理する。画像の額縁が顎及び両耳とし、両眼を位置決め点とし、画像の角度と位置決めを算出する（画像フレームと位置決め点がスマートフォン端末に現れる）。他の場合には、例えば、抬頭と低頭とが一対として識別図を関連させる方式により解決する。このような方式が現行の顔部識別技術よりも良くなる。その原因は、他のソフトウェアが左右眼の高さ比率、幅比率及び嘴の高さ比率、幅比率を計算することで判断し、更に眉の形状及び耳の形状を計算するが、顔には痣があるか、斑があるか、傷痕があるかという最も区別容易な特徴が放棄されることにある。本発明は図形ドット・マトリクスのデータマトリックスを採用して計算し、且つ演算面のフォールト・トレラント及びユーザのインターフェースによる目視選択判断の方式を採用して、極大の正確率を取得する。
【００５７】
掌形の識別については、現在スマートフォンの運用が非常的に普遍であり、多くの人が自撮影を愛好し、スマートフォンで自己の掌紋を撮影することが便利にし、専用計器を使用する限りに、指紋のようなものを識別でき、この掌紋が識別図システムで暗号化の作用を奏でき、特に人からスマートフォンが分離する場合には、ＱＱ番号、支払パスワード、銀行カードが盗用される。掌紋識別が掌形識別、指形識別等の程度に達できる。
【００５８】
掌紋識別に増加されるアルゴリズムは、暗号化運用のフィージビリティーを向上させるために、マトリックス特徴の提起方式に基づいて、デジタル輪郭特徴及びデジタル骨組み特徴のアルゴリズムを増加する。掌形識別の演算方式が顔形識別と同じである。掌表面識別の画像フレーム及び位置決め点は右図（画像フレーム及び位置決め点がスマートフォン端末に表示）の示すように、左、右手が確認された後、撮影されることができる。
会社標識の識別は、道路標識の識別と同じである。
【００５９】
製品の識別は、顔の識別と相似し、撮影に最も代表的な特徴、明らかな特徴があり、且つ複数の識別図により関連識別図を構成する方式により問題を解決できるように要求され、右下図のように示す。会社自身が広告に普及したい製品について、出来るだけ完全フォーマット或はハーフフォーマットを使用し、特に完全フォーマットが１００％のネットマーキングで検索させ、且つ会社の関連資料を含む。
【００６０】
四次元コードがデータと画像との有機的組合であり、データにより画像を取得し、画像によりデータも取得し、データにより画像に転化し、画像により特徴データを検出する。四次元コードが一つのインターフェース基準のみを定義し、この基準で形成一つの有ビッグデータ特徴のある公共プラットフォーム、複数の図の相互検索及び識別を構成し、且つ各業種に運用を展開する。
【００６１】
スマートフォンには随時に撮影できるスマートフォン用カメラを具備するので、識別図が表示されるため、ぜひ識別図に基づくスマートフォンポータルを設立し、このポータルが識別図の急速検索及び模糊識別機能により、極大量の応用を発揮し、例えば企業識別（企業の第二商標に相当）、個人識別（個人ＦＡＣＥ或はＩＤに相当）、製品或は作品の識別（例えば、製品外形識別或は個人肖像付きクレジットカード）。
【００６２】
製品外観特許への保護作用は、優先で外観特許製品を受理し、同じ外観の製品が撮影されて識別された後、優先に企業ポータルにアクセスし、細部の差異により中国特許法要求を違背するものについて偽劣商品提示を発する。
【００６３】
スマートフォン或はコンピュータネットワーク支払の安全性問題を解決し、例えば、スマートフォンが紛失される場合、掌紋識別により別人がその金銭を盗用できないことを保証する。
【００６４】
四次元コードが会社企業の第二商標としても良く、会社の商標が国家商標局により承認される必要があり、フローの複雑により承認されにくく、且つ白黒の書類だけとする。四次元コードが民営会社により管理され、商標法を違反しない前提下で作業され、デジタルＩＤにより区分され、コンピュータ及びスマートフォンＡＰＰにより直接的にポータルを指向できる。真彩、複雑な図案、直接的にポータルへの指向、しっかり覚え容易、入力不要、製品コードへの関連可能な長所を備える。四次元コードが民営会社により開発制御され、形式基準を制定し、且つ社会にサービスを提供する。登録商標は所有の会社により国家に出願され、四次元コードは他の会社により四次元コード会社に出願され、商標が厳粛で真面目に表現し、間違っていなく、四次元コードが機動的に生動で、親近させると理解されている。商標の特徴が区別だけに用いられ、四次元コードが急速識別及び急速アクセスに用いられる。
【００６５】
四次元コードは色彩が豊富で、設計師が自由に拘泥させなく制限されなく、全て四次元コードにつて経典作品を設計でき、四次元コードが現代社会に適合し、更に現在のネットワーク、コンピュータ、スマートフォンに適合し、また名刺、バスカード、銀行カードへの運用を便利にさせる。更にテレビ、広告牌で四次元コードを撮影でき、例えば、１００メートル離れる場所には、スマートフォンを使用してマクドナルドの標識を撮影し、ＧＰＳを加えると、このファストフードレストランのポータルにアクセスでき、そのハンバーガーが売り切れたばかりであると知っており、買いに行く必要がない。
【００６６】
顔の運用：Ａ）明星への運用（全ての人にも適用）：基準定式で明星に関する識別図を設立した後、街或は映画テレビ撮影すると、直ぐこの明星ポータルにアクセスでき、この明星が貴方とインタラクティブする可能がある。Ｂ）罪犯指名手配への運用：公安部門が識別図を設立した後、同様に誰も罪犯を逮捕できる。
【００６７】
製品識別図：一つの空瓶には包装及び符号もない場合、製品の識別図を設立すれば、撮影することで何の酒瓶を知る。製品識別図とは、実物を撮影して生成される識別図である。更に製品が、一つの粒米と小さくなるどんな大きさにかかわらず、このような米の外観が他の米と区別できれば、識別できる。
【００６８】
製品外観特許への保護作用：優先に外観特許製品を受理し、同じ外観の製品が撮影されて識別された後、優先に企業ポータルにアクセスし、細部が異なるので中国特許法の要求を違背する場合、偽劣商品の提示を発できる。この識別図も偽品処置の利器とする。
【００６９】
マルチメディアの運用：テレビシリーズ、映画、音楽、書籍ソフトウェアゲームのような製品について識別図を制作した後、観衆が識別図を見ると、誰が何をするかと分かっており、興趣があれば、何なる地点で、何なる媒介でこれを撮影すると、御覧して試聴でき、満足すれば即座に購買する。
【００７０】
物流面の運用：製品について物流識別図を設立すれば、これを見ると倉庫保管及び物流の全体について包装の内容物を知り、撮影すると物流制御にアクセスし、統一のビッグデータにより、送受についての事先約定が必要でない。全体の物流がより統一して急速し、ユーザと良くインタラクティブできる。
【００７１】
国家識別図識別システムの設立：公共設施及び標識で識別図の識別システムを設立して後、民衆用スマートフォンが道路標識を撮影すると、標識情報を取得でき、バス番号及び道路番号を撮影すると、バスポータルにアクセスでき、次のバスが何時に到達するか、且つ待つ人が多いかと知っている。乗用車がインテリジェント化させた後、自動撮影標識で自動に提示する。
【００７２】
教育面への影響：例えば、幼児教育の場合、スマートフォンで識別図で構成される図書を撮影し、相応の読音及び解釈を取得でき、幾何図形及び化学方程式を撮影すると相応の提示及び解答を取得できる。これらの図形が従来の方法で解決できなく、他の例として、主題公園或は寺院に相応に応用できる。
【００７３】
暗号化面への運用：識別図自身が図形識別であるため、識別図自身が暗号化とし、例えば掌紋、指形、手形について識別図を作製し、デジタル番号、ＡＰＰの暗号化を加え、急速の多層パスワードを形成し、十分に多い暗号化階層を形成し、暗号化能力を向上させ、例えば、銀行カードに識別図を付加し、銀行カードコードが銀行カードと分離させやすく、ユーザのスマートフォンで撮影すると分かり、この識別図自身が銀行カードの他の暗号化パスワードとする。例えば、支払宝が支払する時、パスワードを入力するほかに、用自己のスマートフォンで自己の掌紋を撮影しなければならなく、このようにスマートフォンの紛失による資金盗用の問題を心配しない。
【００７４】
書類、ソフトウェア、ビデオ、音声の共有点：識別図のクラウド格納特性を利用して、スマートフォンとコンピュータとの間への書類、ソフトウェア、ビデオ、音声の相互転送及び共有を完成し、識別図ウェブサイトに登録して相応の識別図を生成し、スマートフォンで撮影した後、スマートフォンに転送できる。或は後期に識別図のネットグループを設立し、ＱＱと同じ機能を生じ、且つスマートフォンとコンピュータとの間のインタラクティブがより強く、一つの図面によりチャットし、書類を送受し、ソフトウェアでビデオ音声を発送することができ、またポータルへのアクセスを含む。
【００７５】
スマートフォンと玄関ガードシステムとのインタラクティブ識別：玄関ガードシステムに識別図のコード値を入力し、このようにスマートフォンに表示される識別図が認可でき、双方にカメラとスクリーンが備えれば、インタラクティブ式の識別をことを実現できる。
【００７６】
電子製品間のコード無線照合を解決し、例えばブルートゥースとＷＩＦＩの識別コードを入力し、例えばブルートゥースのスピーカーに向かって撮影することでコード照合でき、識別図を利用し、同様にスマートフォンがコンピュータとオンラインできる。
【００７７】
これらの部分は、二次元コードでことを実現され、識別図がより一層として、美観でデータを包含するだけではなく、図形化の急速検索基準とし、識別図がビッグデータに従い、急速に検索でき、急速にウェブサイトを接続させてポータルにサクセスできる。
【００７８】
以上の技術方案により、四次元コードの生成を完成し、スマートフォン、パネルコンピュータ、パソコン等を利用して、四次元コードの各次元情報を依拠してインタラクティブ可能に検索する。
【００７９】
前記実施例は、説明本発明を実施する具体的な実施の形態だけを使用する。応当指摘のは、当業者にとって、本発明構想を離脱しない前提下で、更に若干の変形及び変化を行うことができ、これらの変形及び変化が本発明の保護範囲に属すべきである。
【図１】
0006503081.tif 000012
【図２】
0006503081.tif 000013
【図３】
0006503081.tif 000014
【図４】
0006503081.tif 000015
【図５】
0006503081.tif 000016
【図６】
0006503081.tif 000017
【図７】
0006503081.tif 000018
【図８】
0006503081.tif 000019
【図９】
0006503081.tif 000020
【図１０】
0006503081.tif 000021